(57)【特許請求の範囲】
【請求項１】
義歯が中間欠損歯用義歯である義歯とその取付けアタッチメントであって、
前記取付けアタッチメントは、インプラント又は残根部に装着される磁性部材からなる義歯支持部と、前記中間欠損歯用義歯の両端部に設けられ前記義歯支持部を収容した状態で保持する支持部材収容保持部を有し、
前記支持部材収容保持部は、義歯を装着した状態で見て歯肉側に義歯取付け及び取外し用の開口部が形成された磁性体収容部と、前記磁性体収容部に隣接し、かつ前記義歯支持部と反対側になる前記中間欠損歯用義歯内に埋め込まれ前記磁性体収容部に収容された前記義歯支持部に磁気吸引力を及ぼすことで義歯の装着状態を保つ磁石と、前記磁性体収容部に収容された前記義歯支持部に弾性力を利用して係合することで当該義歯支持部を前記磁性体収容部内に留める磁性体係合部を有し、
前記義歯支持部は、前記インプラント又は残根部の上面から突出した状態で備わっており、
前記義歯支持部の周囲の少なくとも一部と、前記磁性体収容部の内周壁の少なくとも一部のそれぞれに摺動面が形成され、前記各摺動面によって前記義歯支持部が前記磁性体収容部内を当該磁性体収容部の開口部と前記中間欠損歯用義歯の人工歯側との間で摺動可能となっていることを特徴とする義歯とその取付けアタッチメント。
【請求項２】
前記磁性体係合部は、前記磁性体収容部の内周壁の所定位置に備わりかつ弾性変形により拡開可能な係合フックからなり、義歯の取り付けや取り外しの際に前記係合フックが弾性変形により拡開して当該係合フックと前記義歯支持部との係合を解除すると共に、義歯装着中においては前記係合フックが前記義歯支持部の所定位置に係合することで、当該義歯支持部を前記磁性体収容部内に留めることを特徴とする請求項１に記載の義歯とその取付けアタッチメント。
【請求項３】
前記磁性体係合部は、前記磁性体収容部の内周壁の所定位置において弾性力により出入り可能となったラッチ凸部を有し、前記義歯支持部は、当該義歯支持部を前記磁性体収容部内に保持するために前記ラッチ凸部と係合すると共に、前記義歯支持部が前記磁性体収容部の開口部から出入り可能とするように前記ラッチ凸部と係合解除することを可能とする構造を有したことを特徴とする請求項１に記載の義歯とその取付けアタッチメント。
【請求項４】
義歯が中間欠損歯用義歯である義歯とその取付けアタッチメントであって、
前記取付けアタッチメントは、インプラント又は残根部に装着される磁性部材からなる義歯支持部と、前記中間欠損歯用義歯の両端部に設けられ前記義歯支持部を収容した状態で保持する支持部材収容保持部を有し、
前記支持部材収容保持部は、義歯を装着した状態で見て歯肉側に義歯取付け及び取外し用の開口部が形成された磁性体収容部と、前記磁性体収容部に隣接し、かつ前記義歯支持部と反対側になる前記中間欠損歯用義歯内に埋め込まれ前記磁性体収容部に収容された前記義歯支持部に磁気吸引力を及ぼすことで義歯の装着状態を保つ磁石とを有すると共に、磁性体係合部を有し、
前記磁性体係合部は、前記磁性体収容部の内周壁の所定位置において弾性力により変形可能となった板バネが前記義歯支持部の摺動方向と交差する方向に所定の長さだけ突出し、かつ前記義歯支持部を前記磁性体収容部内に入れたり出したりする際に前記板バネと係合して当該板バネの弾性力を受けるように配置されたことを特徴とする義歯とその取付けアタッチメント。
【請求項５】
前記磁性体収容部は、前記中間欠損歯用義歯の開口部を前記義歯支持部の出入り口として有すると共に、前記中間欠損歯用義歯の義歯床から人工歯に向けて延在形成されており、
義歯を装着した状態で見て、前記義歯支持部とこれに対向する前記磁性体収容部の人工歯側端部との間は一定距離だけ離間しており、かつ咬合の際においても前記義歯支持部とこれに対向する前記磁性体収容部の人工歯側端部とは当接することなくこれらの間に一定空間が残存していることを特徴とする請求項１に記載の義歯とその取付けアタッチメント。
【請求項６】
前記磁性体収容部は、前記中間欠損歯用義歯の開口部を前記義歯支持部の出入り口として有すると共に、前記中間欠損歯用義歯の義歯床から人工歯に向けて延在形成されており、
義歯を装着した状態で見て、前記義歯支持部は、前記磁性体収容部の人工歯側端部に当接していることを特徴とする請求項１に記載の義歯とその取付けアタッチメント。
【請求項７】
義歯を装着した状態で見て、前記磁性体収容部とこれに対向する前記義歯支持部の人工歯側端部とが突き当たった際に互いに面接触状態を保ちながら当接する構造を有したことを特徴とする請求項１に記載の義歯とその取付けアタッチメント。
【請求項８】
前記磁性体係合部の弾性体の少なくとも一部は、形状記憶合金でできており、かつ前記中間欠損歯用を装着後に口腔内の温度によって弾性力が弱まり剛性が高くなる形状に変形することを特徴とする請求項１乃至請求項７の何れかに記載の義歯とその取付けアタッチメント。
【請求項９】
請求項１乃至請求項３、請求項５乃至請求項８の何れかに記載したインプラント又は残根部に備わる義歯支持部にのみ取り付け可能な請求項１乃至請求項３、請求項５乃至請求項８の何れかに記載の中間欠損歯用義歯。
【請求項１０】
請求項１乃至請求項３、請求項５乃至請求項８の何れかに記載した中間欠損歯用義歯にのみ取り付け可能な請求項１乃至請求項３、請求項５乃至請求項８の何れかに記載の義歯支持部。
【請求項１１】
請求項４に記載したインプラント又は残根部に備わる義歯支持部にのみ取り付け可能な請求項４に記載の中間欠損歯用義歯。
【請求項１２】
請求項４に記載した中間欠損歯用義歯にのみ取り付け可能な請求項４に記載の義歯支持部。
【発明の詳細な説明】
【技術分野】
【０００１】
本発明は、インプラント又は残根部を義歯支台部（以下、適宜単に「義歯支台部」とする）として利用してこのインプラント又は残根部に無理な力を加えることなく取り付け可能な義歯及びその取付けアタッチメントに関する。
【背景技術】
【０００２】
近年の高齢化社会の到来と技術の進歩にあわせて、欠損歯の対策として義歯の代わりにインプラントを利用する場合が増えている。そして、インプラントに関する発明も知られている（例えば、特許文献１参照）。また、インプラントに関連する発明やインプラントを用いず磁石の磁力を利用した義歯の発明も取られている（例えば特許文献２及び特許文献３参照）
【先行技術文献】
【特許文献】
【０００３】
【特許文献１】特開平０７−０６７８８８号公報
【特許文献１】特開平０７−０６７８８８号公報
【特許文献１】特開平０７−０６７８８８号公報
【発明の概要】
【発明が解決しようとする課題】
【０００４】
しかしながら、欠損歯が何箇所もある場合、それらの全てをインプラントにするには費用がかなり嵩んでしまう。また、高齢者の中には、顎骨の萎縮などにより特許文献１に記載したような頑丈なインプラントを適用することができない欠損歯を多く有する人たちもいる。
【０００５】
また、特許文献２に記載の技術は、インプラントの植立方向に関係なく義歯を取り付ける技術であり、上述したような顎骨の萎縮が見られる欠損歯への適応は不適切である。
【０００６】
なお、特許文献３に記載の技術は、義歯の固定に永久磁石の吸引力を利用したアタッチメントの構成であり、義歯を歯根に装着したり取り外したりするためのものに過ぎず、欠損歯ごとにこの構成を適用しなければならないので、一部の義歯が外れて脱落してしまう虞がある。
【０００７】
以上のような事情から、インプラントの構造やわざわざインプラントとする必要のない残根部を有効活用しながら、その周辺の１本又は複数本の欠損歯を義歯で補うことができる廉価な義歯及びその取付けアタッチメントの構造が要望されている。
【０００８】
本発明の目的は、最低限度のインプラントの構造を利用するか、若しくはインプラントを用いずに残根部を有効活用して欠損歯に簡単かつ確実に取り付けることができる廉価な義歯とその取付けアタッチメントを提供することにある。
【課題を解決するための手段】
【０００９】
上述の課題を解決するために、本発明の請求項１に係る義歯とその取付けアタッチメントは、
義歯が中間欠損歯用義歯である義歯とその取付けアタッチメントであって、
前記取付けアタッチメントは、インプラント又は残根部に装着される磁性部材からなる義歯支持部と、前記中間欠損歯用義歯の両端部に設けられ前記義歯支持部を収容した状態で保持する支持部材収容保持部を有し、
前記支持部材収容保持部は、義歯を装着した状態で見て歯肉側に義歯取付け及び取外し用の開口部が形成された磁性体収容部と、前記磁性体収容部に隣接し、かつ前記義歯支持部と反対側になる前記中間欠損歯用義歯内に埋め込まれ前記磁性体収容部に収容された前記義歯支持部に磁気吸引力を及ぼすことで義歯の装着状態を保つ磁石と、前記磁性体収容部に収容された前記義歯支持部に弾性力を利用して係合することで当該義歯支持部を前記磁性体収容部内に留める磁性体係合部を有し、
前記義歯支持部は、前記インプラント又は残根部の上面から突出した状態で備わっており、
前記義歯支持部の周囲の少なくとも一部と、前記磁性体収容部の内周壁の少なくとも一部のそれぞれに摺動面が形成され、前記各摺動面によって前記義歯支持部が前記磁性体収容部内を当該磁性体収容部の開口部と前記中間欠損歯用義歯の人工歯側との間で摺動可能となっていることを特徴としている。
【００１０】
粘膜負担型義歯及び歯根膜負担型義歯双方の構成において有している問題点を同時に解決することができる。つまり最低限度のインプラントの構造を利用するか、若しくはインプラントを用いずに残根部を有効活用して欠損歯に簡単かつ確実に取り付けることができる廉価な義歯とその取付けアタッチメントを提供することができる。
【００１１】
また、義歯支持部（突出部）がインプラントや残根部から上に突出していることにより、咬合時に義歯支台部に不適切な曲げモーメントやこれに伴う過大な応力が発生するのを防止できる。
【００１２】
また、各摺動面によって義歯支持部が磁性体収容部内を磁性体収容部の開口部と中間欠損歯用義歯の人工歯側との間で摺動可能となっていることによって、義歯支持部に対して義歯をスムーズに着脱できるようになる。
【００１３】
また、本発明の請求項２に係る義歯とその取付けアタッチメントは、請求項１に記載の義歯とその取付けアタッチメントにおいて、
前記磁性体係合部は、前記磁性体収容部の内周壁の所定位置に備わりかつ弾性変形により拡開可能な係合フックからなり、義歯の取り付けや取り外しの際に前記係合フックが弾性変形により拡開して当該係合フックと前記義歯支持部との係合を解除すると共に、義歯装着中においては前記係合フックが前記義歯支持部の所定位置に係合することで、当該義歯支持部を前記磁性体収容部内に留めることを特徴としている。
【００１４】
係合部が例えば拡開可能な弾性体からなる例えばいわゆる刺股形状を有し、弾性力によって弾性変形により拡開可能なフックからなることで、このフックが義歯支持部（突出部）に係合したり係合解除したりする構造を有することにより、義歯の着脱を容易に行うことができるようになる。また、義歯がきちんと装着されているかを確認して、中途半端な義歯の装着状態のまま咬合してしまった際に生じる諸問題を解決することができる。
【００１５】
また、本発明の請求項３に係る義歯とその取付けアタッチメントは、請求項１に記載の義歯とその取付けアタッチメントにおいて、
前記磁性体係合部は、前記磁性体収容部の内周壁の所定位置において弾性力により出入り可能となったラッチ凸部を有し、前記義歯支持部は、当該義歯支持部を前記磁性体収容部内に保持するために前記ラッチ凸部と係合すると共に、前記義歯支持部が前記磁性体収容部の開口部から出入り可能とするように前記ラッチ凸部と係合解除することを可能とする構造を有したことを特徴としている。
【００１６】
係合部が、例えばスプリングとシャフトとベアリングを組み合わせたもの、若しくはスプリングとシャフトを組み合わせたものからなり、スプリングの弾性力を利用してその先端のベアリングやシャフトの先端が義歯支持部（突出部）に係合したり係合解除したりする構造を有することで、この係合部が義歯支持部（突出部）に係合したり係合解除したりする構造を有することにより、義歯の着脱を容易に行うことができるようになる。また、義歯がきちんと装着されているかを確認して、中途半端な義歯の装着状態のまま咬合してしまった際に生じる諸問題を解決することができる。
【００１７】
また、本発明の請求項４に記載の義歯とその取付けアタッチメントは、
義歯が中間欠損歯用義歯である義歯とその取付けアタッチメントであって、
前記取付けアタッチメントは、インプラント又は残根部に装着される磁性部材からなる義歯支持部と、前記中間欠損歯用義歯の両端部に設けられ前記義歯支持部を収容した状態で保持する支持部材収容保持部を有し、
前記支持部材収容保持部は、義歯を装着した状態で見て歯肉側に義歯取付け及び取外し用の開口部が形成された磁性体収容部と、前記磁性体収容部に隣接し、かつ前記義歯支持部と反対側になる前記中間欠損歯用義歯内に埋め込まれ前記磁性体収容部に収容された前記義歯支持部に磁気吸引力を及ぼすことで義歯の装着状態を保つ磁石とを有すると共に、磁性体係合部を有し、
前記磁性体係合部は、前記磁性体収容部の内周壁の所定位置において弾性力により変形可能となった板バネが前記義歯支持部の摺動方向と交差する方向に所定の長さだけ突出し、かつ前記義歯支持部を前記磁性体収容部内に入れたり出したりする際に前記板バネと係合して当該板バネの弾性力を受けるように配置されたことを特徴としている。
【００１８】
係合部が、単なる板バネからなり、この板バネの弾性力を利用して板バネの先端が義歯支持部（突出部）に係合したり係合解除したりする構造を有している場合であっても、この係合や係合解除を利用して義歯の着脱を容易に行うことができるようになる。また、義歯がきちんと装着されているかを確認して、中途半端な義歯の装着状態のまま咬合してしまった際に生じる諸問題を解決することができる。
【００１９】
また、本発明の請求項５に記載の義歯とその取付けアタッチメントは、請求項１に記載の義歯とその取付けアタッチメントにおいて、
前記磁性体収容部は、前記中間欠損歯用義歯の開口部を前記義歯支持部の出入り口として有すると共に、前記中間欠損歯用義歯の義歯床から人工歯に向けて延在形成されており、
義歯を装着した状態で見て、前記義歯支持部とこれに対向する前記磁性体収容部の人工歯側端部との間は一定距離だけ離間しており、かつ咬合の際においても前記義歯支持部とこれに対向する前記磁性体収容部の人工歯側端部とは当接することなくこれらの間に一定空間が残存していることを特徴としている。
【００２０】
義歯とその取付けアタッチメントはこのような構造を有することで、粘膜負担型義歯の特有の作用を発揮することができ、歯根膜が傷んだ義歯装着者の更なる歯根膜の状態の悪化を防止することができ、大切な残存歯の欠損を防止できる。
【００２１】
また、本発明の請求項６に記載の義歯とその取付けアタッチメントは、請求項１に記載の義歯とその取付けアタッチメントにおいて、
前記磁性体収容部は、前記中間欠損歯用義歯の開口部を前記義歯支持部の出入り口として有すると共に、前記中間欠損歯用義歯の義歯床から人工歯に向けて延在形成されており、
義歯を装着した状態で見て、前記義歯支持部は、前記磁性体収容部の人工歯側端部に当接していることを特徴としている。
【００２２】
インプラントをしっかり埋め込まれている場合は、残根部の歯根膜が健全な義歯装着者が本発明に係る中間欠損歯用義歯を装着して咬合する際に、中間欠損歯用義歯の両端を介して各義歯支台部で咬合力を受け持つことができるので、義歯装着中であっても、しっかりとした噛み心地を楽しむことができる。
【００２３】
また、本発明の請求項７に記載の義歯とその取付けアタッチメントは、請求項１に記載の義歯とその取付けアタッチメントにおいて、
義歯を装着した状態で見て、前記磁性体収容部とこれに対向する前記義歯支持部の人工歯側端部とが突き当たった際に互いに面接触状態を保ちながら当接する構造を有したことを特徴としている。
【００２４】
このような構造を有することによって、歯根膜負担型の中間欠損歯用義歯を装着して咬合した際や、粘膜負担型の中間欠損歯用義歯を装着して思いっきり咬合した際に、咬合力が義歯と義歯支持部との間において面接触により均等に加わるようにできる。その結果、咬合に際して咬合力の応力集中を避けることにより、義歯及び義歯支持部の破損を防止できる。
【００２５】
また、本発明の請求項８に記載の義歯とその取付けアタッチメントは、
前記磁性体係合部の弾性体の少なくとも一部は、形状記憶合金でできており、かつ前記中間欠損歯用を装着後に口腔内の温度によって弾性力が弱まり剛性が高くなる形状に変形することを特徴とする請求項１乃至請求項７の何れかに記載の義歯とその取付けアタッチメントである。
【００２６】
また、本発明の請求項９に記載の中間欠損歯用義歯は、請求項１乃至請求項３、請求項５乃至請求項８の何れかに記載したインプラント又は残根部に備わる義歯支持部にのみ取り付け可能な請求項１乃至請求項３、請求項５乃至請求項８の何れかに記載の中間欠損歯用義歯である。
【００２７】
また、本発明の請求項１０に記載の義歯支持部は、請求項１乃至請求項３、請求項５乃至請求項８の何れかに記載した中間欠損歯用義歯にのみ取り付け可能な請求項１乃至請求項３、請求項５乃至請求項８の何れかに記載の義歯支持部である。
また、請求項１１に記載の中間欠損歯用義歯は、請求項４に記載したインプラント又は残根部に備わる義歯支持部にのみ取り付け可能な請求項４に記載の中間欠損歯用義歯である。
また、請求項１２に記載の義歯支持部は、請求項４に記載した中間欠損歯用義歯にのみ取り付け可能な請求項４に記載の義歯支持部である。
【発明の効果】
【００２８】
本発明によると、最低限度のインプラントの構造を利用するか、若しくはインプラントを用いずに残根部を有効活用して欠損歯に簡単かつ確実に取り付けることができる廉価な義歯とその取付けアタッチメントを提供することができる。
【図面の簡単な説明】
【００２９】
【図１】本発明の第１の実施形態に係る義歯及びその取付けアタッチメントの装着状態を示す説明図である。
【図２】図１に示した義歯を装着した後に咬合した状態を示す説明図である。
【図３】図１に示した第１の実施形態に係る義歯及びその取付けアタッチメントを装着するにあたっての調整方法を説明する図である。
【図４】図１に示した第１の実施形態における磁性体係合部とこれが係合する義歯支持部との係合の仕方を順番に説明する図であり、第２の実施形態における磁性体係合部とこれが係合する義歯支持部との係合の仕方も兼ねて表している。
【図５】図４に対応する説明図であり、左側が側面図で右側が平面図を示している。
【図６】第１の実施形態における磁性体係合部とこれが係合する義歯支持部との係合の仕方が異なる第１変形例を順番に説明する図であり、第２の実施形態の第１変形例における磁性体係合部とこれが係合する義歯支持部との係合の仕方も兼ねて表している。
【図７】図６に対応する説明図であり、左側が側面図で右側が平面図を示している。
【図８】第１の実施形態における磁性体係合部とこれが係合する義歯支持部との係合の仕方が異なる第２変形例を順番に説明する図であり、第２の実施形態の第２変形例における磁性体係合部とこれが係合する義歯支持部との係合の仕方も兼ねて表している。
【図９】図８に対応する説明図であり、左側が側面図で右側が平面図を示している。
【図１０】第１の実施形態における磁性体係合部とこれが係合する義歯支持部との係合の仕方が異なる第３変形例を順番に説明する図であり、第２の実施形態の第３変形例における磁性体係合部とこれが係合する義歯支持部との係合の仕方も兼ねて表している。
【図１１】図１０に対応する説明図であり、左側が側面図で右側が平面図を示している。
【図１２】本発明の第２の実施形態に係る義歯及びその取付けアタッチメントの装着状態を示す説明図である。
【図１３】図１２に示した義歯を装着した後に咬合した状態を示す説明図である。
【発明を実施するための形態】
【００３０】
以下、本発明に係る義歯とその取付けアタッチメントについて紹介する。最初に第１の実施形態及びその変形例に係る義歯とその取付けアタッチメントについて説明する。
【００３１】
第１の実施形態に係る義歯及びその取付けアタッチメントは、粘膜負担型義歯及びその取付けアタッチメントに関するものである。ここで粘膜負担型義歯の定義と技術的意義について述べる。
【００３２】
義歯を装着する必要がある人の中には、体質的な個人差がありしっかりした顎骨の部分にインプラントを埋め込むことができず、インプラントに無理な力を必要以上に加えられない人がいる。また、インプラントを埋め込むまで至らない場合であっても残根部の歯根膜が年齢とともにかなり傷んでいる人がいる。
【００３３】
その一方、しっかりした顎骨の部分にインプラントを埋め込んで多少の無理な力が加わってもインプラントに悪影響を加えることがない人やインプラントを埋め込んだ後にさほど強く咬合することがない人、インプラントを埋め込むまでは至らないが残根部の歯根膜に関しては健全な状態を保っている人もいる。
【００３４】
ここで顎骨がしっかりしていない部分にインプラントを埋め込んだ人の場合や、残根部の歯根膜がかなり潰れて傷んでいる人の場合、そのインプラントや残根部に義歯を取り付けて咬合した際に義歯だけでなくインプラントの埋め込み部や残根部にも咬合力が作用してしまうと歯根膜がその分圧縮されて歯根膜の傷みがより進んだりしたりしまう。
【００３５】
このようなインプラントの埋め込み部や残根部に過度の力が加わるのは明らかに好ましくない。また、歯根膜が極度に傷んでしまうと残根部自体が義歯を取り付ける負担に耐えられなくなり、残根部がやがては欠損してしまう虞がある。
【００３６】
このようなインプラントの埋め込み部や残根部の歯根膜が年齢と共に傷んできた義歯装着者にとって、インプラントを埋め込んだ部分に過大な力を加えないようにしたり、残根部の欠損を招かないようにしたりすることが重要である。そのために、咬合力が義歯（中間欠損歯用義歯）の義歯床で歯肉を圧迫させ義歯自体が沈下する押し付け力となることで、この咬合力を受ける（負担する）作用を及ぼす本発明において提供する粘膜負担型義歯を利用するのが好ましい。
【００３７】
以上の理由についてより客観的な説明で補足する。咬合力は、約３ＭＰａ〜約９ＭＰａ（１ｃｍ２当たり平均３０ｋｇ〜９０ｋｇ（１ｍ２当たり３００トン〜９００トン））と極めて大きい。そのため、健全な歯根膜では負担可能であっても、歯周病などによって歯根膜が健全でない場合は、負担過剰となって、咬合時、痛みが生じる。更に歯根膜が損傷されて抜歯となる症例に至る場合も多い。
【００３８】
このような咬合時に痛みを感じながらでは、日常生活で正常な食事を行うことはとても期待できず、クオリティオブライフの点で深刻な問題を招くことになる。そのため、インプラントに無理な力をかけることができなかったり残根部の歯根膜が健全でなかったりするいわゆる義歯支台部の強度と耐久性が不十分である場合、義歯装着時に、インプラント負担や歯根膜負担にならないように工夫すべきである。この際に最も効果的な対応策として、上述した粘膜負担型の義歯を装着することが好適な選択手段である。
【００３９】
なお、以下の第１の実施形態並びにそれらの変形例の説明において、各構成要素を各図面において示しているが、それぞれの図面における各構成要素の形状及び寸法についてはそれぞれを厳密に一致させていない。これは、これらの形状及び寸法のそれぞれの違いについては、当然に全て本発明の範囲内に含まれるため、説明の便宜上あえて分かり易く異なるようにしているためである。従って、各図面における各構成要素の形状や寸法関係の違いについては、本発明の範囲内に全く影響を与えるものでないことを付言しておく。
【００４０】
また、各図面と関連した説明において、上下方向は、上側を義歯の人工歯（義歯本体）側、下側を義歯床側とした方向を基準として定める。従って、義歯を上顎に装着した場合、以下の説明の上下関係は逆になる。また、平面視とは、義歯の歯の先端側から見た状態とする。また、図面中ハッチングすべきところを説明の理解の容易化のために適宜省略している。
【００４１】
図１は、本発明の第１の実施形態に係る義歯及びその取付けアタッチメントの装着状態を示す説明図である。第１の実施形態に係る義歯とその取付けアタッチメントは、中間欠損歯用義歯１０としての義歯（以下、適宜単に「義歯」と称する）とその取付けアタッチメントである。そして、取付けアタッチメントは、義歯支持部３００と、磁性体収容部１４０を有している。
【００４２】
義歯支持部３００は、インプラント４１０又は残根部４２０に装着される磁性部材からなる。なお、インプラント４１０又は残根部４２０は公知であるため、図１乃至図３、図１２、図１３においては、残根部４２０の形態で示し、他の図面においてはインプラント４１０又は残根部４２０を正確に描かず二点鎖線で概略的に示している。また、以下の説明においては、インプラント４１０又は残根部４２０を適宜必要に応じて単に「インプラント４１０」と称して記載する。
【００４３】
義歯支持部３００は、インプラント４１０又は残根部４２０の上面から突出した状態で備わっている。義歯支持部３００がインプラント４１０や残根部４２０から上に突出していることにより、咬合時に第１の実施形態の場合、さほど大きくない適度な咬合力Ｆがインプラント４１０又は残根部４２０の軸線方向に合致するように直接作用するだけに留めることができ、インプラント４１０又は残根部４２０やその歯根膜４２１に不適切な曲げモーメントやこれに伴う過大な応力が発生するのを防止する役目を果たしている。
【００４４】
義歯支持部３００は、上述の通り突起形状を有し、その先端側から先端平面部３１０、先端側湾曲テーパー部３２０、大径部３３０、基端側湾曲テーパー部３４０、及び支柱部３５０の順番に突出方向上側に形成されると共に、支柱部３５０に埋め込み部３６０が連なっている。
【００４５】
そして、義歯支持部３００の埋め込み部３６０は、本実施形態ではネジ構造になってインプラント４１０又は残根部４２０に取り付けられるようになっている。なお、この埋め込み部３６０にネジを形成させずに接着剤等で取り付けるようにしても良い。
【００４６】
義歯支持部３００は磁性材でできており、かつ強度と耐久性や耐食性に優れた例えばステンレス鋼や金の合金、白金の合金等が用いられている。そして、義歯装着中に磁石１５０が磁性体からなる義歯支持部３００に磁気引っ張り力を作用させることで、中間欠損歯用義歯１０がインプラント４１０又は残根部４２０と義歯支持部３００からなる義歯取り付け部から離れないようにしている。
【００４７】
また、義歯支持部３００の大径部３３０の外周面の一部は、磁性体収容穴１４５の内周面の一部に形成された支持部移動用摺動面１４７に摺動可能に当接するようになっており、義歯支持部３００が磁性体収容穴１４５の内部に保持される場合やこの穴から出し入れされる場合において抵抗を受けることなく摺動するようになっている。
【００４８】
なお、支持部移動用摺動面１４７は、この第１の実施形態及び後述するその各変形例における磁性体収容穴１４５、並びに第２の実施形態及びその各変形例における磁性体収容穴２４５の内部から突出する磁性体係合部５００乃至８００と干渉しないようにその周方向の形成範囲をそれぞれ適宜異なるようにしている。
【００４９】
これについては、図５、図７、図９、図１１の右側の図面にあくまで一例の参考として符号１４７を付して表示している。また、これらの図面について、支持部移動用摺動面１４７と義歯支持部３００の大径部３３０との間には隙間があるが、これは単に発明の理解の容易のためのもので、実際はこの隙間がなく両者が当接しながら互いに摺動可能となっていることを付言しておく。
【００５０】
中間欠損歯用義歯１０は、少なくとも一本の義歯本体１１０（１１１，１１２，・・・）と、義歯本体１１０を支える義歯床１２０と、磁性体収容部１４０を有している。磁性体収容部１４０は、中間欠損歯用義歯１０の両端部に設けられ、義歯支持部３００を収容した状態で保持する構造を有している。そして、支持部材収容保持部１００は、磁性体収容部１４０と、磁石１５０と、磁性体係合部５００を有している。
【００５１】
そして、磁石１５０と磁性体係合部５００は、磁石ホルダー１６０に収容された上で義歯本体１１０や義歯床１２０に埋め込まれ、中間欠損歯用義歯１０の両端側にそれぞれ備わる。なお、磁性体係合部５００の詳しい構造と説明は後述する。
【００５２】
義歯を装着した状態で見て、支持部材収容保持部１００の歯肉側に義歯取付け及び取外し用の開口部１４１が形成されている。即ち、支持部材収容保持部１００は、中間欠損歯用義歯１０の開口部１４１を義歯支持部３００の出入り口として有する。また、支持部材収容保持部１００には、この出入り口を開口部１４１とした磁性体収容穴１４５が中間欠損歯用義歯１０の義歯床１２０から人工歯としての義歯本体１１０の内部の途中まで延在形成されている。
【００５３】
なお、磁性体収容穴１４５の大きさは、磁性体収容穴１４５に義歯支持部３００を係合させるために挿入する際に互いに干渉しない寸法となっている。
【００５４】
本実施形態の場合、支持部材収容保持部１００は、磁性体収容部１４０と磁石ホルダー１６０が一体となって形成されている。支持部材収容保持部１００及び磁石ホルダー１６０は、耐久性や強度、耐食性に優れた例えばステンレス鋼でできており、義歯用樹脂でできた義歯本体１１０及び義歯床１２０の中に埋め込まれている。なお、磁性体収容部１４０と磁石ホルダー１６０は、必ずしも一体に形成されている必要はなく、これらを別体に形成して互いにしっかりと結合しても良い。
【００５５】
本実施形態がこのような構成を有することで、磁石１５０が義歯装着者の口の中に露出することがなく、磁石１５０の材質によって味覚に違和感を憶えたり、磁石１５０の破片が口の中に入ったりするのを防いでいる。
【００５６】
また、上述したように義歯支持部３００の周囲の少なくとも一部と、磁性体収容穴１４５の内周壁の少なくとも一部のそれぞれに摺動面が形成されている。そして、これらの各摺動面によって義歯支持部３００が磁性体収容部１４０の磁性体収容穴１４５の内側の所定面を開口部１４１と中間欠損歯用義歯１０の人工歯側との間で摺動可能となっている。これによって、義歯を義歯支持部３００にスムーズに着脱することができるようになっている。
【００５７】
また、第１の実施形態の特有の特徴として、中間欠損歯用義歯１０を装着した際に、義歯支持部３００とこれに対向する磁性体収容穴１４５の穴底端面部（人工歯側端部）１４６とは当接することなく、これらの間に第１の一定空間（第１の空間Ｓ１）が残存するようになっている（図１参照）。
【００５８】
一方、咬合の際においても義歯支持部３００の先端平面部３１０とこれに対向する磁性体収容穴１４５の穴底端面部１４６とは同様に当接することはない。具体的には、咬合の際に、中間欠損歯用義歯１０の義歯床１２０が歯肉９００に咬合力で押し付けられて沈み込むことで、咬合力を全て受け持つ。これによって、義歯支持部３００の先端平面部３１０とこれに対向する磁性体収容穴１４５の穴底端面部１４６の間に第１の空間Ｓ１よりも小さい第２の一定空間（第２の空間Ｓ２）が残存するようになっている（図２参照）。
【００５９】
図２は、図１に示した義歯を装着した後に咬合した状態を示す説明図である。第１の実施形態の特有の特徴として、咬合の際においても義歯支持部３００とこれに対向する磁性体収容部１４０の磁性体収容穴１４５の穴底端面部１４６とは、上記した第２の空間Ｓ２が形成されることで、これらが互いに当接しないことが分かる。
【００６０】
図３は、図１に示した第１の実施形態に係る義歯及びその取付けアタッチメントを装着するにあたっての調整方法を説明する図である。義歯装着の後に咬合して義歯１０の義歯床１２０が装着者の歯肉９００を圧迫して沈下した時の中間欠損歯用義歯１０全体の高さの違い、即ち上述した義歯装着時に形成される第１の空間Ｓ１における義歯支持部３００の先端平面部３１０と磁性体収容穴１４５の穴底端面部１４６との間の間隔と、義歯装着後に咬合した際に形成される第２の空間Ｓ２における義歯支持部３００の先端平面部３１０と磁性体収容穴１４５の穴底端面部１４６との間の間隔との差異は、義歯装着者の個人個人によって異なっている。そのため、図３に示すような上下面が平面のスペーサー９０を用いて義歯装着時と咬合時にそれぞれ適切な位置に留まるように調整して、義歯製作時に上記間隔を個別に正しく確保するようにしている。
【００６１】
また、上述したようにスペーサー９０の上面９１と下面９２は平面となっており、義歯支持部３００の先端平面部３１０と磁性体収容穴１４５の穴底端面部１４６のペーサー９０の下面９２と上面９１がそれぞれに面接触するようになっている。そして、スペーサー９０の上下面は互いに平行な状態で形成されている。
【００６２】
その結果、中間欠損歯用義歯１０を装着した後に咬合した際、本来第２の空間Ｓ２が形成されるはずであるが、このような通常の咬合力Ｆを超えて思いっきり咬合した場合に磁性体収容部１４０の磁性体収容穴１４５の穴底端面部１４６とこれに対向する義歯支持部３００の穴底端面部１４６とがもしも突き当たったとしても、これら双方が互いに面接触状態を保ちながら当接する構造となっている。
【００６３】
これにより、粘膜負担型の中間欠損歯用義歯１０を装着して思いっきり咬合した際に、咬合力Ｆが中間欠損歯用義歯１０の両端において義歯と義歯支持部３００との間の当接面に平面接触で均等に加わるようにして咬合力Ｆの応力集中を避けることができ、義歯及び義歯支持部３００の破損を防止する。
【００６４】
また、磁石１５０は、磁性体収容部１４０に隣接して磁石ホルダー１６０を介して中間欠損歯用義歯１０内に埋め込まれている。そして、磁性体収容部１４０に収容された義歯支持部３００に磁気吸引力を及ぼすことで義歯の装着状態を保つようになっている。
【００６５】
磁性体係合部５００は、磁性体収容部１４０の磁性体収容穴１４５に収容された義歯支持部３００に弾性力を利用して係合することで、中間欠損歯用義歯１０を取り付ける際にこの両端に位置する義歯支持部３００をそれぞれ磁性体収容部１４０内に同時に嵌めこんだ後にこの中に留める構造を有している。なお、磁性体係合部５００の詳細な構成については後述する。
【００６６】
以上のような構成に基づいて、上述したように中間欠損歯用義歯１０を義歯取り付け部に取り付けた状態で見て、咬合前においては、義歯支持部３００が磁性体収容部１４０の内部に収容されることで、中間欠損歯用義歯１０がインプラント４１０や残根部４２０に結合すると共に、中間欠損歯用義歯１０の義歯床１２０の底面が口の中の唾液Ｄ（図１中ドットＤで示す部分参照）を介して歯肉９００の上面に全面的に密着し、これによって中間欠損歯用義歯１０を残根部４２０に所定の遊びを保ちながらしっかりと取り付けるようになっている（図１参照）。
【００６７】
そして、上述したように義歯支持部３００が磁性体収容部１４０の磁性体収容穴１４５に摺動可能に係合することで、中間欠損歯用義歯１０が２本のインプラント４１０や残根部４２０に結合すると共に、中間欠損歯用義歯１０の義歯床１２０がその底面全体に唾液Ｄを介在させながら歯肉９００に密着することで、中間欠損歯用義歯１０を２本のインプラント４１０や残根部４２０への装着状態を維持するようになっている（図２参照）。
【００６８】
また、中間欠損歯用義歯１０に備わる各磁石１５０が、これらそれぞれの近くに備わる義歯支持部３００に磁気引っ張り力を及ぼすことで、中間欠損歯用義歯１０が２本のインプラント４１０や残根部４２０から外れないようにしている。
【００６９】
また、中間欠損歯用義歯１０を残根部４２０に取り付ける際に、義歯支持部３００が中間欠損歯用義歯１０の磁性体収容部１４０内で摺動可能となっているので、中間欠損歯用義歯１０が２本の義歯支持部３００の間で磁気引っ張り力によって保持されながら２本のインプラント４１０や残根部４２０に対してそれらの上下方向（長手方向）に所定の量だけ平行移動できる。
【００７０】
以下に、上述した第１の実施形態及び後述するその各変形例並びに第２の実施形態とその各変形例において共通する本発明の特徴についても強調しておく。本発明における共通する構造として、磁石１５０が磁性体からなる義歯支持部３００の側方であって、中間欠損歯用義歯１０の義歯床１２０と義歯本体１１０の間に義歯の延在方向に向かって横向きに配置されていることが挙げられる。これによって、十分な磁気引っ張り力を義歯支持部３００に義歯１０の両端からそれぞれ均等に作用させることができる。
【００７１】
そのため、これ以外の例えばインプラント４１０の長手方向に磁石１５０を付けた場合のような極めて弱い磁力しか発生できない構造とは異なり、義歯をしっかりと装着することが可能となる。即ち、十分な磁力を有する磁石１５０をこのような配置状態に置くことで、磁石１５０の磁力線を磁性体からなる義歯支持部３００に十分かつ効率的に及ぼすことに本発明の技術的意義がある。
【００７２】
続いて、本発明特有の構成である磁性体係合部５００について説明する。磁性体係合部５００は、磁性体収容部１４０の内周壁の所定位置に備わりかつ弾性変形により拡開可能ないわゆる刺股状の係合フックからなる。なお、磁性体係合部５００は、弾性変形可能でかつ耐久性に優れた例えばバネ鋼でできている。
【００７３】
そして、義歯の取り付けや取り外しの際に係合フックが弾性変形により拡開してこの係合フックと義歯支持部３００との係合を解除するようになっている。これと共に、義歯装着中においては、係合フックが義歯支持部３００の所定位置に係合することで、中間欠損歯用義歯１０の両端の義歯支持部３００をそれぞれ磁性体収容部１４０内に留めて中間欠損歯用義歯１０の両端又は何れか片端に位置する義歯支持部３００からの予期せぬ外れを防止する。
【００７４】
このように、第１の実施形態の特徴的構造としては、磁性体係合部５００が刺股形状を有し、弾性力によって弾性変形により拡開可能な刺股フック５００からなる。そして、この刺股フック５００が、義歯支持部３００（突出部）に係合したり係合解除したりする構造を有している点にある。
【００７５】
なお、磁性体係合部５００は、第１の実施形態においては刺股フック５００として構成されているが、後述する第１の実施形態の変形例においては、ベアリングラッチ係合部６００、シャフトラッチ係合部７００、板バネラッチ係合部８００として構成されている。粘膜負担型の中間欠損歯用義歯である第２の実施形態及びその各変形例においても同様である。
【００７６】
磁性体係合部５００及びその上述した各変形例に係る係合部は、全てそれぞれの形状に合わせて磁性体収容部１４０の磁性体収容穴１４５においてその基端部か適時の形状及び寸法で固定されている。そして、先端となる磁性体義歯支持部３００と係合する部分は、磁性体収容穴１４５の内壁の所定位置からこの穴に収容及び出し入れされる義歯支持部３００の収容空間内に向かってそれぞれの形状及び寸法を有しながら突出している。
【００７７】
即ち、上述した磁性体係合部は、それぞれ異なる形状を有し、異なる形態で同じく異なる形状の係合部収容穴１４８に基端部が固定され、先端の係合部が義歯支持部３００の収容及び出し入れに際してこの磁性体係合部の作用を十分に発揮するようにそれぞれの変形部分が適当な形態で磁性体収容穴内に突出している。
【００７８】
なお、図４乃至図１１においては、図面の簡略化と理解の容易化を図るために、係合部収容穴１４８の図示を省略すると共に、各磁性体係合部の基端部が取り付けられる係合部収容穴１４８の内部の固定部分を磁性体収容部１４０の部分的形態として図示している。
【００７９】
刺股フック５００は、磁性体収容部１４０の内部に固定された基端部５１０と義歯支持部３００を挟み込むように形成され磁性体収容穴１４５の内部に突出した刺股部５２０から構成される。
【００８０】
そして、刺股フック５００は、その刺股部５２０か弾性変形して義歯支持部３００の先端側湾曲テーパー部３２０に嵌まり、次いで大径部３３０において弾性力により２つに分かれて刺股部５２０が幅方向に拡開変形したまま大径部３３０を長手方向に沿って移動し、基端側湾曲テーパー部３４０に達すると元の形に戻って支柱部３５０と基端側湾曲テーパー部３４０の間で係合状態を保つようになっている。
【００８１】
図４は、図１に示した第１の実施形態における磁性体係合部である刺股フック５００とこれが係合する義歯支持部３００との係合の仕方を順番に説明する図である。また、図５は、図４に対応する説明図であり、左側が側面図で右側が平面図を示している。
【００８２】
なお、各図面とも、中間欠損歯用義歯１０の両端の刺股フック５００とこれが係合する義歯支持部３００の双方の位置関係を義歯装着の過程において同時に生じるタイミングで示している。
【００８３】
図４（ａ）及び図５（ａ−１）、図５（ａ−２）は、中間欠損歯用義歯１０の両端の磁性体収容穴１４５に義歯支持部３００の先端平面部３１０を位置合わせして、磁性体収容穴１４５の開口部１４１からその内部に義歯支持部３００の先端平面部３１０が入り込むように中間欠損歯用義歯１０を義歯取り付け部に取り付ける最初の段階を示しており、刺股フック５００が義歯支持部３００の先端側湾曲テーパー部３２０の僅かに上方に位置している状態を示している。
【００８４】
続いて、図４（ｂ）及び図５（ｂ−１）、図５（ｂ−２）は、上述の段階に続いて、刺股フック５００を義歯支持部３００の先端側湾曲テーパー部３２０に係合させた後、刺股フック５００がそれ自体の弾性により拡開して大径部３３０に係合した状態を示している。
【００８５】
なお、上述した過程で、義歯装着者は、中間欠損歯用義歯１０の両端内部に備わる刺股フック５００が義歯支持部３００に同時に係合したことを、顎骨を伝わる感覚で知覚することができ、これにより義歯が正規の正しい姿勢でその両端の義歯取り付け部に取り付け始められていることを、義歯装着の初期段階で確認できる。
【００８６】
続いて、このように義歯を装着し始めた状態で、図４（ｃ）及び図５（ｃ−１）、図５（ｃ−２）に示すように、刺股フック５００が義歯支持部３００の基端側湾曲テーパー部３４０に達することで、刺股部５２０が弾性により拡開変形していた刺股フック５００が元の形に戻る。
【００８７】
この刺股フック５００の変形の戻りを義歯装着者は顎骨を介して再び自分の感覚で知覚することができ、中間欠損歯用義歯１０の両端における磁性体収容部１４０の磁性体収容穴１４５に義歯取り付け部の義歯支持部３００が同時に正しい位置に収容されたことを確認できる。
【００８８】
これにより、中間欠損歯用義歯１０が好ましくない向きや状態でその両端の下側に位置する義歯取り付け部に無理矢理取り付けられるのを回避することができる。その結果、無理に加わる過度の力やモーメントによる義歯取り付け部やインプラント４１０への悪影響の防止、残根部４２０やその周りの歯根膜４２１への悪影響の防止を実効あらしめる。
【００８９】
続いて、義歯装着者が咬合することで、中間欠損歯用義歯１０が歯肉９００に押し付けられるまで沈下し、これに合わせて、図４（ｄ）及び図５（ｄ−１）、図５（ｄ−２）に示すように、刺股フック５００が義歯支持部３００の基端側湾曲テーパー部３４０から支柱部３５０に沿って下降しながら所定量だけスライド移動した状態でその位置に留まる。なお、ここで言う所定量とは、図１に示す第１の空間Ｓ１と図２に示す第２の空間Ｓ２の高さ方向（上下方向）の差異に相当する。
【００９０】
一方、中間欠損歯用義歯１０を取り外す際は、上述した中間欠損歯用義歯１０の装着過程と逆の過程を経て取り外すようになっている。
【００９１】
以上の説明から分かるように、中間欠損歯用義歯１０が好ましくない状態で無理矢理その両端の下側に位置する義歯取り付け部に取り付けられるのを回避できる。その結果、無理に加わる過度の力やモーメントによる義歯取り付け部やインプラント４１０への悪影響の防止、残根部４２０やその周りの歯根膜４２１への悪影響の防止を実効あらしめる。
【００９２】
上述のように義歯の装着した後に咬合すると、中間欠損歯用義歯１０に均等に作用する咬合力Ｆにより、咬合前に義歯床１２０の下面全体に介在する唾液Ｄ（図１に示すドット状の部分Ｄ参照）のうち、咬合の際には義歯床１２０全体と歯肉９００との間に介在した唾液Ｄが押し出され、義歯床１２０と歯肉９００とが唾液Ｄを介さず密着することになる（図２に示すドット状の部分Ｄの介在位置参照）。
【００９３】
以上説明したように、咬合時に咬合力Ｆによって義歯床１２０が唾液Ｄを押し出して歯肉９００を圧迫することで義歯自体を沈下させることに伴って、義歯支持部３００が磁性体収容部１４０内でスライド上昇する。そして、義歯支持部３００が磁性体収容部１４０内で上昇しきった状態において、義歯支持部３００の先端平面部３１０とこれに対向する磁性体収容穴１４５の穴底端面部１４６との間には上述したように第２の空間Ｓ２が形成される。
【００９４】
このような空間が残存することによって義歯支持部３００が磁性体収容部１４０内で更なるスライド上昇の余裕を残すことができ、歯を強く咬んでも咬合力Ｆがインプラント４１０の埋め込み部に過大な力を加えることなく、同じく残根部４２０の歯根膜４２１を押し潰すことなく、インプラント４１０やこれが埋め込まれた顎骨、若しくは残根部４２０の歯根膜４２１の劣化が進むのを防止するのが第１の実施形態の特徴と言える。
【００９５】
再度、本実施形態が上述した本発明特有の形態である磁性体係合部５００を有する利点について説明する。本実施形態の場合、中間欠損歯用義歯１０の両端に設けられた２つの刺股状の磁性体係合部５００が義歯を装着する際に中間欠損歯用義歯１０の両端の義歯支持部３００の先端側湾曲テーパー部３２０にほぼ同時に当たり、義歯１０の装着中に義歯支持部３００の大径部３３０に沿って刺股部５２０が弾性力によって広がり、その後この大径部３３０の下側の基端側曲面状テーパー部に係合する。
【００９６】
このようにして刺股状の磁性体係合部５００が装着者の中間欠損歯用義歯１０の両端下側の義歯取り付け部に嵌まり込むタイミングを同時に確認することができる。即ち、この両端の磁性体係合部５００の義歯支持部３００への嵌まり込みのタイミングがずれたり一方のみしか嵌っていなかったりすると、装着者は顎骨に伝わる感覚や係合音でその現象にすぐに気が付くことができる。これによって、中間欠損歯用義歯１０がきちんと装着されたか不適切に装着されたかを確認することができる。
【００９７】
ここで、不適切に装着された後に咬合すると、中間欠損歯用義歯１０に及ぼす咬合力Ｆが正規の方向に向かず義歯取り付け部に不適切な応力や曲げモーメントなどを発生させてインプラント４１０や残根部４２０の歯根膜４２１を傷める虞があるが、本実施形態によるとこのようなことを回避することができる。
【００９８】
また、中間欠損歯用義歯１０をインプラント４１０や残根部４２０を基台とする義歯装着部に取り付ける際に、中間欠損歯用義歯１０が２本の義歯支持部３００の間で磁気引っ張り力によって保持されながら２本のインプラント４１０や残根部４２０に対してそれらの上下方向（長手方向）に所定の量だけ平行移動できるようになっている。即ち、２本の義歯支持部３００が、それぞれ中間欠損歯用義歯１０の磁性体収容部１４０内で摺動可能となっている。これによって、義歯装着中は磁石１５０の十分な磁力で義歯のぐらつきや、ずれ、はずれを確実に防止すると共に、義歯を装着したり取り外したりする場合に指でつまんで押し込んだり引っ張ったりする際に、義歯をスムーズに着脱できる。
【００９９】
続いて、第１の実施形態の第１変形例について説明する。第１の実施形態の第１変形例に係る義歯とその取付けアタッチメントは、磁性体係合部６００が、磁性体収容部１４０の内周壁の所定位置において弾性力により出入り可能となったラッチ係合の構造を有している点を特徴としている。具体的には、第１変形例は、磁性体係合部６００が、ベアリング６１０とシャフト６２０とスプリング６５０を組み合わせたベアリングラッチ係合部６００からなっている。
【０１００】
図６は、第１の実施形態における磁性体係合部６００とこれが係合する義歯支持部３００との係合の仕方が異なる第１変形例を順番に説明する図である。また、図７は、図６に対応する説明図であり、左側が側面図で右側が平面図を示している。
【０１０１】
なお、各図面とも、中間欠損歯用義歯１０の両端のベアリングラッチ係合部６００とこれが係合する義歯支持部３００の双方の位置関係を義歯装着の過程において同時に生じるタイミングで示している。
【０１０２】
図６（ａ）及び図７（ａ−１）、図７（ａ−２）は、中間欠損歯用義歯１０の両端の磁性体収容穴１４５に義歯支持部３００の先端平面部３１０を位置合わせして、磁性体収容穴１４５の開口部１４１からその内部に義歯支持部３００の先端平面部３１０が入り込むように中間欠損歯用義歯１０を義歯取り付け部に取り付ける最初の段階を示しており、ベアリングラッチ係合部６００（磁性体係合部６００）が義歯支持部３００の先端側湾曲テーパー部３２０の僅かに上方に位置している状態を示している。
【０１０３】
続いて、図６（ｂ）及び図７（ｂ−１）、図７（ｂ−２）は、上述の段階に続いて、ベアリングラッチ係合部６００を義歯支持部３００の先端側湾曲テーパー部３２０に係合させた後、ベアリングラッチ係合部６００のスプリング６５０が縮んでベアリングの先端が大径部３３０に押し付けられた状態を示している。
【０１０４】
以上の過程において、ベアリングラッチ係合部６００の義歯支持部３００に押し付けられる部分がベアリング６１０で構成されているので、このベアリング６１０は、義歯支持部３００に回転状態を保ちながら点接触し続けることで、ベアリングラッチ係合部６００は、義歯支持部３００に対してなめらかに接触したまま義歯支持部３００の大径部３３０まで達する。
【０１０５】
なお、上述した過程で、義歯装着者は、中間欠損歯用義歯１０の両端に備わるベアリングラッチ係合部６００が義歯支持部３００に同時に係合したことを、顎骨を伝わる感覚で知覚することができ、これにより義歯が正規の正しい姿勢でその両端の下側に位置する義歯取り付け部に取り付け始められていることを、義歯装着の初期段階で確認できる。
【０１０６】
続いて、このように義歯を装着し始めた状態で、図６（ｃ）及び図７（ｃ−１）、図７（ｃ−２）に示すように、ベアリングラッチ係合部６００が義歯支持部３００の基端側湾曲テーパー部３４０に達することで、スプリング６５０の弾性により引っ込んでいたベアリング６１０とシャフト６２０の部分が元の形に戻る。
【０１０７】
このベアリングラッチ係合部６００の弾性変形の戻りを義歯装着者は顎骨を介して再び自分の感覚で知覚することができ、中間欠損歯用義歯１０の両端における磁性体収容部１４０の磁性体収容穴１４５に義歯取り付け部の義歯支持部３００が同時に正しい位置に収容されたことを確認できる。
【０１０８】
これにより、中間欠損歯用義歯１０が好ましくない向きや状態でその両端の下側に位置する義歯取り付け部に無理矢理取り付けられるのを回避することができる。その結果、無理に加わる過度の力やモーメントによる義歯取り付け部やインプラント４１０への悪影響の防止、残根部４２０やその周りの歯根膜４２１への悪影響の防止を実効あらしめる。
【０１０９】
続いて、義歯装着者が咬合することで、中間欠損歯用義歯１０が歯肉９００に押し付けられるまで沈下し、これに合わせて、図６（ｄ）及び図７（ｄ−１）、図７（ｄ−２）に示すように、ベアリングラッチ係合部６００が義歯支持部３００の基端側湾曲テーパー部３４０から支柱部３５０に沿って下降しながら所定量だけスライド移動した状態でその位置に留まる。なお、ここで言う所定量とは、図１に示す第１の空間Ｓ１と図２に示す第２の空間Ｓ２の高さ方向（上下方向）の差異に相当する。
【０１１０】
一方、中間欠損歯用義歯１０を取り外す際は、上述した中間欠損歯用義歯１０の装着過程と逆の過程を経て取り外すようになっている。
【０１１１】
以上の説明から分かるように、この第１変形例においても中間欠損歯用義歯１０が好ましくない状態で無理矢理その両端の下側に位置する義歯取り付け部に取り付けられるのを回避できる。その結果、無理に加わる過度の力やモーメントによる義歯取り付け部やインプラント４１０への悪影響の防止、残根部４２０やその周りの歯根膜４２１への悪影響の防止を実効あらしめることを特徴としている。
【０１１２】
続いて、第１の実施形態の第２変形例について説明する。第１の実施形態の第２変形例に係る義歯とその取付けアタッチメントは、第１変形例と同様に、磁性体係合部７００が、磁性体収容部１４０の内周壁の所定位置において弾性力により出入り可能となったラッチ係合の構造を有している点を特徴としている。しかしながら、第２変形例は、第１変形例と異なり、磁性体係合部７００が、先端が丸まった球面状端部７１０を有するシャフト７２０とスプリング７５０を組み合わせたシャフトラッチ係合部７００からなり、第１変形例よりも簡易な構成でコストダウンを図っていることに特徴がある。
【０１１３】
図８は、この第２変形例に係るシャフトラッチ係合部７００とこれが係合する義歯支持部３００との係合の仕方を順番に説明する図である。また、図９は、図８に対応する説明図であり、左側が側面図で右側が平面図を示している。
【０１１４】
なお、各図面とも、中間欠損歯用義歯１０の両端のシャフトラッチ係合部７００とこれが係合する義歯支持部３００の双方の位置関係を義歯装着の過程において同時に生じるタイミングで示している。
【０１１５】
図８（ａ）及び図９（ａ−１）、図９（ａ−２）は、中間欠損歯用義歯１０の両端の磁性体収容穴１４５に義歯支持部３００の先端平面部３１０を位置合わせして、磁性体収容穴１４５の開口部１４１からその内部に義歯支持部３００の先端平面部３１０が入り込むように中間欠損歯用義歯１０を義歯取り付け部に取り付ける最初の段階を示しており、シャフトラッチ係合部７００が、義歯支持部３００の先端側湾曲テーパー部３２０の僅かに上方に位置している状態を示している。
【０１１６】
続いて、図８（ｂ）及び図９（ｂ−１）、図９（ｂ−２）は、上述の段階に続いて、シャフトラッチ係合部７００を義歯支持部３００の先端側湾曲テーパー部３２０に係合させた後、シャフトラッチ係合部７００のスプリング７５０が圧縮変形してシャフト７２０の先端の球面状端部７１０が大径部３３０に係合した状態を示している。
【０１１７】
なお、上述した過程で、義歯装着者は、中間欠損歯用義歯１０の両端に備わるシャフトラッチ係合部７００が義歯支持部３００に同時に係合したことを、顎骨を伝わる感覚で知覚することができ、これにより義歯が正規の正しい姿勢でその両端の下側に位置する義歯取り付け部に取り付け始められていることを、義歯装着の初期段階で確認できる。
【０１１８】
続いて、このように義歯を装着し始めた状態で、図８（ｃ）及び図９（ｃ−１）、図９（ｃ−２）に示すように、シャフトラッチ係合部７００が義歯支持部３００の基端側湾曲テーパー部３４０に達することで、スプリング７５０の弾性によりシャフト７２０の部分が引っ込んでいたシャフトラッチ係合部７００が元の形に戻る。
【０１１９】
このシャフトラッチ係合部７００の変形の戻りを義歯装着者は顎骨を介して再び自分の感覚で知覚することができ、中間欠損歯用義歯１０の両端における磁性体収容部１４０の磁性体収容穴１４５に義歯取り付け部の義歯支持部３００が同時に正しい位置に収容されたことを確認できる。
【０１２０】
これにより、中間欠損歯用義歯１０が好ましくない向きや状態でその両端の下側に位置する義歯取り付け部に無理矢理取り付けられるのを回避することができる。その結果、無理に加わる過度の力やモーメントによる義歯取り付け部やインプラント４１０への悪影響の防止、残根部４２０やその周りの歯根膜４２１への悪影響の防止を実効あらしめる。
【０１２１】
続いて、義歯装着者が咬合することで、中間欠損歯用義歯１０が歯肉９００に押し付けられるまで沈下し、これに合わせて、図８（ｄ）及び図９（ｄ−１）、図９（ｄ−２）に示すように、シャフトラッチ係合部７００が義歯支持部３００の基端側湾曲テーパー部３４０から支柱部３５０に沿って下降しながら所定量だけスライド移動した状態でその位置に留まる。なお、ここで言う所定量とは、図１に示す第１の空間Ｓ１と図２に示す第２の空間Ｓ２の高さ方向（上下方向）の差異に相当する。
【０１２２】
一方、中間欠損歯用義歯１０を取り外す際は、上述した中間欠損歯用義歯１０の装着過程と逆の過程を経て取り外すようになっている。
【０１２３】
以上の説明から分かるように、この第２変形例においても中間欠損歯用義歯１０が好ましくない状態で無理矢理その両端の下側に位置する義歯取り付け部に取り付けられるのを回避できる。その結果、無理に加わる過度の力やモーメントによる義歯取り付け部やインプラント４１０への悪影響の防止、残根部４２０やその周りの歯根膜４２１への悪影響の防止を実効あらしめる。
【０１２４】
続いて、第１の実施形態の第３変形例に係る義歯とその取付けアタッチメントについて説明する。この第３変形例に係る義歯とその取付けアタッチメントにおいて、磁性体係合部８００は、磁性体収容部１４０の内周壁の所定位置において弾性力により変形可能となった板バネ８２０が義歯支持部３００の摺動方向と交差する方向に所定の長さだけ突出している。
【０１２５】
そして、義歯支持部３００は、義歯支持部３００を磁性体収容部１４０内に入れたり出したりする際に板バネ８２０と係合したり係合解除したりするようになっている。
【０１２６】
図１０は、第１の実施形態の第３変形例に係る板バネラッチ係合部８００とこれが係合する義歯支持部３００との係合を順番に説明する図である。また、図１１は、図１０に対応する説明図であり、左側が側面図で右側が平面図を示している。
【０１２７】
なお、各図面とも、中間欠損歯用義歯１０の両端の板バネラッチ係合部８００とこれが係合する義歯支持部３００の双方の位置関係を義歯装着の過程において同時に生じるタイミングで示している。
【０１２８】
図１０（ａ）及び図１１（ａ−１）、図１１（ａ−２）は、中間欠損歯用義歯１０の両端の磁性体収容穴１４５に義歯支持部３００の先端平面部３１０を位置合わせして、磁性体収容穴１４５の開口部１４１からその内部に義歯支持部３００の先端平面部３１０が入り込むように中間欠損歯用義歯１０を義歯取り付け部に取り付ける最初の段階を示しており、板バネラッチ係合部８００が義歯支持部３００の先端側湾曲テーパー部３２０の僅かに上方に位置している状態を示している。
【０１２９】
続いて、図１０（ｂ）及び図１１（ｂ−１）、図１１（ｂ−２）は、上述の段階に続いて、板バネラッチ係合部８００を義歯支持部３００の先端側湾曲テーパー部３２０に係合させた後、板バネラッチ係合部８００がそれ自体の弾性により板バネ８２０のバネ先端８２１が上側に撓んで大径部３３０に係合した状態を示している（図１１（ｂ−１）において実線で示す板バネ８２０参照）。
【０１３０】
なお、上述した過程で、義歯装着者は、中間欠損歯用義歯１０の両端に備わる板バネラッチ係合部８００が義歯支持部３００に同時に係合したことを、顎骨を伝わる感覚で知覚することができ、これにより義歯が正規の正しい姿勢でその両端の下側に位置する義歯取り付け部に取り付け始められていることを、義歯装着の初期段階で確認できる。
【０１３１】
続いて、このように義歯を装着し始めた状態で、図１０（ｃ）及び図１１（ｃ−１）、図１１（ｃ−２）に示すように、板バネラッチ係合部８００の板バネ８２０のバネ先端８２１が義歯支持部３００の基端側湾曲テーパー部３４０に達することで、板バネ８２０の弾性により撓んでいた板バネラッチ係合部８００が元の形に戻る。
【０１３２】
この板バネラッチ係合部８００の変形の戻りを義歯装着者は顎骨を介して再び自分の感覚で知覚することができ、中間欠損歯用義歯１０の両端における磁性体収容部１４０の磁性体収容穴１４５に義歯取り付け部の義歯支持部３００が同時に正しい位置に収容されたことを確認できる。
【０１３３】
これにより、中間欠損歯用義歯１０が好ましくない向きや状態でその両端の下側に位置する義歯取り付け部に無理矢理取り付けられるのを回避することができる。その結果、無理に加わる過度の力やモーメントによる義歯取り付け部やインプラント４１０への悪影響の防止、残根部４２０やその周りの歯根膜４２１への悪影響の防止を実効あらしめる。
【０１３４】
続いて、義歯装着者が咬合することで、中間欠損歯用義歯１０が歯肉９００に押し付けられるまで沈下し、これに合わせて、図１０（ｄ）及び図１１（ｄ−１）、図１１（ｄ−２）に示すように、板バネラッチ係合部８００が義歯支持部３００の基端側湾曲テーパー部３４０から支柱部３５０に沿って下降しながら所定量だけスライド移動した状態でその位置に留まる。なお、ここで言う所定量とは、図１に示す第１の空間Ｓ１と図２に示す第２の空間Ｓ２の高さ方向（上下方向）の差異に相当する。
【０１３５】
一方、中間欠損歯用義歯１０を取り外す際は、上述した中間欠損歯用義歯１０の装着過程と逆の過程を経て取り外すようになっている。この際、大径部３３０に係合する板バネ８２０は図１１（ｂ−１）の点線で示すようにバネ先端８２１が下方に撓んだ状態になる。
【０１３６】
以上の説明から分かるように、この第３変形例においても中間欠損歯用義歯１０が好ましくない状態で無理矢理その両端の下側に位置する義歯取り付け部に取り付けられるのを回避できる。その結果、無理に加わる過度の力やモーメントによる義歯取り付け部やインプラント４１０への悪影響の防止、残根部４２０やその周りの歯根膜４２１への悪影響の防止を実効あらしめる。
【０１３７】
以上のように磁性体係合部８００が、板バネ８２０を有し、この板バネ８２０の弾性力を利用して板バネ８２０のバネ先端部８２１が義歯支持部３００（突出部）に係合したり係合解除したりする構造であっても以下に説明する本発明の作用を発揮することが可能である。
【０１３８】
上述の通り、第１の実施形態及びその各変形例が以上の構成を有することで、特別な作用を発揮することができる。具体的には、中間欠損歯用義歯１０の両端が、上述したように若干の遊びをもって各義歯支持部３００に対して平行に摺動可能となっていることで、このいわゆる遊びで規定される上下方向にのみ中間欠損歯用義歯１０を移動させることができる。
【０１３９】
これによって、従来の両端支持用義歯のように両端の義歯支持部３００に対して全く遊びがない状態で固定された場合に生じる問題の発生を防ぐ。つまり、本実施形態によると上下の咬合時に反対側の歯から受ける咬合力Ｆが両端支持用義歯に過度に加わることはない。これにより義歯１０が破損しにくくなると共に、破損した義歯支持部３００との結合部が歯肉９００を傷つけることが生じない上、その結合部自体の一部が破片となって口の中に入り誤飲の原因となったりする従来の問題を生じさせずに済む。
【０１４０】
また、咬合時に義歯の義歯床全体が歯肉全体に押し付けられて、義歯が沈下することにより咬合力Ｆを吸収するようになっているので、埋め込んだ顎骨の部分に過大な力を加えることは好ましくないインプラント４１０や残根部４２０の歯根膜４２１の部分に過大な応力が生じるのを防止する。
【０１４１】
これにより、義歯装着者は咬合することに中間欠損歯用義歯１０の快適な装着感及び咬み心地を味わうことができる。その結果、上述したように食べ物を咬む間中気持ち良く咬み続けることができ、ストレスを受けることなく食事を楽しむことが可能となる。これにより、食べ物の良好な消化吸収を図ることにより、高齢者にとって特に重要な健康の維持や体調面での向上を図ることができる。
【０１４２】
続いて、第２の実施形態に係る義歯とその取付けアタッチメントについて紹介する。この第２の実施形態に係る義歯とその取付けアタッチメントは、第１の実施形態と異なり歯根膜負担型義歯に関するものである。ここで歯根膜負担型義歯の定義と技術的意義について述べる。
【０１４３】
歯の組織に関して上顎と下顎のそれぞれの歯肉の内側に埋め込まれたそれぞれの歯の歯根の部分はその表面は堅いセメント質で覆われ、歯根膜という非常に硬い繊維結合組織によって上顎と下顎のそれぞれの歯根の周囲の骨とつながっている。
【０１４４】
それぞれの歯がこのような組織となっていることで、先に具体的数値で説明したように、極めて大きい咬合力Ｆに耐えながら食べ物を噛み砕くようになっている。
【０１４５】
そして、若い頃から強く咬む習慣のある人や歯根膜自体が元々丈夫でない体質の人の場合、長年にわたって上述した大きな咬合力Ｆが歯根膜に加わり、歯根膜自体が圧迫されて損傷し顎骨の吸収を招き、歯の動揺が発生して高齢になるに従って歯の欠損が生じてしまう。
【０１４６】
そのため、歯を強く噛む習慣のある人は、欠損した歯の部分に第１の実施形態及びその変形例で紹介した粘膜負担型義歯を装着して咬合時に義歯の残根部に極力無理な咬合力Ｆが作用しないようにし、残根部の歯根膜の損傷の進行を極力抑え、特に残根部の数が減少している場合、義歯を取り付けるために必要不可欠な残根部の更なる欠損を招かないようにするのが良い。
【０１４７】
つまり、このような義歯の装着者の場合、特に欠損歯が多くなった場合、残根部に取り付ける義歯には残りの残根部の歯根膜の損傷が進行しないように第１の実施形態及びその各変形例で紹介した粘膜負担型義歯を用いるのが良い。
【０１４８】
一方、食事の際に上述したような強く咬む癖のない人や歯根膜自体が元々丈夫な体質の人は、高齢になっても一般的に歯根膜が健全な状態を保っており、仮に一部の歯根膜が傷んで歯が欠損していても欠損歯の数は少なく残存歯が多い。このような人の場合、欠損歯に義歯を取り付ける場合であっても、残根部の歯根膜が健全であることや、残存歯が多いため咬合力Ｆをそれぞれの残存歯に分散させながら咬合できる観点から、第１の実施形態及びその変形例に係る粘膜負担型義歯を用いる代わりに、第２の実施形態及びその変形例に係る歯根膜負担型義歯を用いるのが良い。
【０１４９】
また、強く咬む癖のある人であっても残存歯が多い場合であれば、上述の同様の理由で咬合力Ｆをそれぞれの残存歯に分散させながら咬合できるため、第１の実施形態の場合と異なり、歯根膜負担型義歯を残根部に取り付けても良い。このようにしても、強く咬む癖をなくしていけば一旦取り付けた歯根膜負担型義歯を長期に亘って使い続けることができる。
【０１５０】
このように状況に応じて歯根膜負担型義歯や粘膜負担型義歯を使い分けることで、近年の高齢化社会におけるクオリティオブライフの向上を図ることが今後重要になってくると言える。そして、本発明の第２の実施形態及びその各変形例では歯根膜負担型義歯を用いる場合を前提として、本発明特有の構成をこの効果と共に以下の実施の形態及びその変形例で説明していく。
【０１５１】
なお、以下の第２の実施形態並びにそれらの変形例の説明において、各構成要素を図面においても示しているが、各図面における各構成要素の形状及び寸法については、第１の実施形態及びその各変形例と同様にそれぞれを厳密に一致させていない。これは、これらの形状及び寸法のそれぞれの違いについては、当然に全て本発明の範囲内に含まれるため、説明の便宜上あえて分かり易く異なるようにしているためである。従って、各図面における各構成要素の形状や寸法関係の違いについては、本発明の範囲内に全く影響を与えるものでないことを付言しておく。
【０１５２】
また、各図面と関連した説明において、上下方向は、上側を義歯の人工歯（義歯本体）側、下側を義歯床側とした方向を基準として定める。従って、義歯を上顎に装着した場合、以下の説明の上下関係は逆になる。また、平面視とは、義歯の歯の先端側から見た状態とする。また、図面中ハッチングすべきところを説明の理解の容易化のために適宜省略している。
【０１５３】
以下、本発明の第２の実施形態に係る義歯とその取付けアタッチメントについて図面に基づいて詳細に説明する。なお、第１の実施形態に係る義歯とその取付けアタッチメントと共通する構成については、図面に共通する符号を付してその詳細な説明を省略する。
【０１５４】
図１２は、本発明の第２の実施形態に係る義歯及びその取付けアタッチメントの装着状態を示す説明図である。また、図１３は、図１２に示した義歯を装着した後に咬合した状態を示す説明図である。
【０１５５】
この第２の実施形態特有の特徴として、中間欠損歯用義歯２０を装着した状態で見て、義歯支持部３００の上端部が、それぞれ磁性体収容部２４０の磁性体収容穴２４５の穴底端面部２４６に当接していることが挙げられる。より具体的には、中間欠損歯用義歯２０を装着した状態で見て、磁性体収容穴２４５の穴底端面部２４６とこれに対向する義歯支持部３００の先端平面部３１０とが突き当たった際に互いに面接触状態を保ちながら当接する構造を有している。
【０１５６】
その結果、図１２と図１３を比較すると明らかなように、義歯を装着した咬合する前の状態と咬合中の状態が、第１の実施形態と異なり、義歯の高さ方向において同一となっている点にこの第２の実施形態の構造上の特徴がある。
【０１５７】
即ち、第２の実施形態においては、咬合に際して中間欠損歯用義歯２０が歯肉９００に押し付けられることなく、咬合力Ｆを中間欠損歯用義歯２０の両端に位置する義歯取り付け部の２本のインプラント４１０にしっかりと取り付けられ、若しくは２本の残根部４２０の歯根膜４２１でそれぞれ均等に受けるようになっている。
【０１５８】
また、第２の実施形態において、磁性体係合部５００は、第１の実施形態と同様に、磁性体収容部２４０の内周壁の所定位置に備わりかつ弾性変形により拡開可能な刺股状の係合フック、即ち刺股フックからなる。そして、義歯の取り付けや取り外しの際に刺股フックが弾性変形により拡開し、刺股フックと義歯支持部３００との係合を解除するようになっている。
【０１５９】
また、義歯装着中においては刺股フックが義歯支持部３００の所定位置に係合することで、磁性体収容部２４０から義歯支持部３００の予期せぬ外れや脱落を防止している。
【０１６０】
以下に第１の実施形態において用いた図４及び図５の一部を流用して、第２の実施形態における磁性体係合部５００とこれが係合する義歯支持部３００との係合の仕方を順番に説明する。
【０１６１】
図４（ａ）及び図５（ａ−１）、図５（ａ−２）に示す刺股フック５００は、義歯支持部３００の先端側湾曲テーパー部３２０の僅かに上方に位置している状態から、図４（ｂ）及び図５（ｂ−１）、図５（ｂ−２）に示す磁性体係合部５００を義歯支持部３００の先端側湾曲テーパー部３２０に係合させた後、刺股フック５００の刺股部５２０がそれ自体の弾性により拡開して大径部３３０に係合した状態に至る。
【０１６２】
なお、この過程で第１の実施形態と同様に、義歯装着者は、中間欠損歯用義歯２０の両端に備わる刺股フック５００が義歯支持部３００に同時に係合したことを、顎骨を伝わる感覚で知覚することができ、これにより義歯が正規の正しい姿勢でその両端の下側に位置する義歯取り付け部に取り付け始められていることを、義歯装着の初期段階で確認できる。
【０１６３】
続いて、図４（ｃ）及び図５（ｃ−１）、図５（ｃ−２）に示す刺股フック５００が義歯支持部３００の基端側湾曲テーパー部３４０に達することで、磁性体係合部５００の弾性により拡開変形していた刺股状の磁性体係合部５００が元の形に戻る。
【０１６４】
この刺股フック５００の変形の戻りを義歯装着者は顎骨を介して再び自分の感覚で知覚することができ、中間欠損歯用義歯２０の両端における磁性体収容部２４０の磁性体収容穴２４５に義歯取り付け部の義歯支持部３００が同時に正しい位置に収容されたことを確認できる。
【０１６５】
これにより、中間欠損歯用義歯２０が好ましくない向きや状態でその両端の下側に位置する義歯取り付け部に無理矢理取り付けられるのを回避することができる。その結果、無理に加わる過度の力やモーメントによる義歯取り付け部やインプラント４１０への悪影響の防止、残根部４２０やその周りの歯根膜４２１への悪影響の防止を実効あらしめる。
【０１６６】
なお、第２の実施形態においては、図４（ｄ）及び図５（ｄ−１）、図５（ｄ−２）に示す状態に至らず、義歯支持部３００の上端が、図１２に示すように、磁性体収容穴１４５の穴底端面部２４６に突き当たり、図４（ｃ）及び図５（ｃ−１）、図５（ｃ−２）に示す状態を保つ。
【０１６７】
そして、その後咬合する過程においては、図１２から図１３に至るように、中間欠損歯用義歯２０の両端に位置する義歯取り付け部、即ち顎骨にしっかりと埋め込まれたインプラント４１０や残根部４２０及び健全な歯根膜４２１によって咬合力Ｆを受け持ち、第１の実施形態のように中間欠損歯用義歯２０が歯肉９００に向かって沈下することなく、図１３に示す状態を保つ。
【０１６８】
このように第２の実施形態においても、第１の実施形態と同様に磁性体係合部５００が刺股形状を有しかつ弾性力によって弾性変形により拡開可能なフックからなり、このフックが義歯支持部３００（突出部）に係合したり係合解除したりする構造を有することを特徴としている。
【０１６９】
また、中間欠損歯用義歯２０に備わる各磁石１５０が、これらそれぞれの近くに備わる義歯支持部３００に磁気引っ張り力を及ぼすことで、中間欠損歯用義歯２０が２本のインプラント４１０や残根部４２０から外れないようにしている。
【０１７０】
そして、義歯支持部３００が磁性体収容部２４０に備わる磁性体収容穴２４５に入り込み、この穴の穴底端面部２４６に突き当たることで、中間欠損歯用義歯２０がこの両端を挟む義歯取り付け部の２本のインプラント４１０にしっかりと取り付けられ、若しくは２本の残根部４２０にそれぞれの歯根膜４２１を介してしっかり取り付けられるようになっている。
【０１７１】
即ち、磁性体収容穴２４５の穴底端面部２４６は、義歯装着に際して、大義歯支持部３００が磁性体収容穴２４５の内部をスライド移動する際の義歯取付け用ストッパーとしての役目を果たしている。そして、義歯を正しく取付ける場合において、中間欠損歯用義歯２０を義歯支持部３００に取り付ける時、中間欠損歯用義歯２０の両端に形成された磁性体収容穴２４５の穴底端面部２４６に義歯支持部３００の先端平面部３１０が同時に突き当たるようになっている。このように、穴底端面部２４６が義歯取り付け用ストッパーをなすことで、咬合時の咬合力Ｆを中間欠損歯用義歯２０の両端に位置する義歯取り付け部の２本のインプラント４１０や２本の残根部４２０にそれぞれ均等に伝える。
【０１７２】
このような構造を有することで、歯根膜負担型義歯を装着して咬合した際に、咬合力Ｆが義歯と義歯支持部３００との間において均等に加わるようにする。これによって、咬合時に咬合力Ｆの応力集中を避けることができ、義歯及び義歯支持部３００の破損を防止するようになっている。更に、咬合力Ｆはインプラント４１０又は歯根膜４２１の健全な残根部４２０に直接伝わるようになっているので、咬合時に中間欠損歯用義歯２０が歯肉９００に向かって沈下することがなく、しっかりとした噛み心地を義歯装着者に与える。
【０１７３】
また、中間欠損歯用義歯２０をインプラント４１０や残根部４２０を基台とする義歯装着部に取り付ける際に、中間欠損歯用義歯２０が２本の義歯支持部３００の間で磁気引っ張り力によって保持されながら２本のインプラント４１０や残根部４２０に対してそれらの上下方向（長手方向）に所定の量だけ平行移動できるようになっている。即ち、２本の義歯支持部３００が、それぞれ中間欠損歯用義歯２０の磁性体収容部２４０内で摺動可能となっている。これによって、義歯装着中は磁石１５０の十分な磁力で義歯のぐらつきや、ずれ、はずれを確実に防止すると共に、義歯を装着したり取り外したりする場合に指でつまんで押し込んだり引っ張ったりする際に、義歯をスムーズに着脱できる。
【０１７４】
続いて、第１の実施形態において用いた図６及び図７の一部を流用して、第２の実施形態の第１変形例におけるベアリングラッチ係合部６００（磁性体係合部６００）とこれが係合する義歯支持部３００との係合の仕方を順番に説明する。
【０１７５】
図６（ａ）及び図７（ａ−１）、図７（ａ−２）に示すベアリングラッチ係合部６００は、義歯支持部３００の先端側湾曲テーパー部３２０の僅かに上方に位置している状態から、図６（ｂ）及び図７（ｂ−１）、図７（ｂ−２）に示す磁性体係合部６００を義歯支持部３００の先端側湾曲テーパー部３２０に係合させた後、ベアリングラッチ係合部６００のスプリング６５０が縮んでベアリング６１０の先端が大径部３３０に押し付けられた状態に至る。
【０１７６】
以上の過程において、第１の実施形態と同様に、ベアリングラッチ係合部６００の義歯支持部３００に押し付けられる部分がベアリング６１０で構成されているので、このベアリング６１０は、義歯支持部３００に回転状態を保ちながら点接触し続けることで、ベアリングラッチ係合部６００は、義歯支持部３００に対してなめらかに接触した状態を保つことができる。
【０１７７】
なお、この過程で第１の実施形態と同様に、義歯装着者は、中間欠損歯用義歯２０の両端に備わるベアリングラッチ係合部６００が義歯支持部３００に同時に係合したことを、顎骨を伝わる感覚で知覚することができ、これにより義歯が正規の正しい姿勢でその両端の下側に位置する義歯取り付け部に取り付け始められていることを、義歯装着の初期段階で確認できる。
【０１７８】
続いて、図６（ｃ）及び図７（ｃ−１）、図７（ｃ−２）に示すベアリングラッチ係合部６００が義歯支持部３００の基端側湾曲テーパー部３４０に達することで、スプリング６５０の弾性により引っ込んでいたベアリング６１０とシャフト６２０の部分が元の形に戻る。
【０１７９】
このベアリングラッチ係合部６００の弾性変形の戻りを義歯装着者は顎骨を介して再び自分の感覚で知覚することができ、中間欠損歯用義歯２０の両端における磁性体収容部２４０の磁性体収容穴２４５に義歯取り付け部の義歯支持部３００が同時に正しい位置に収容されたことを確認できる。
【０１８０】
これにより、中間欠損歯用義歯２０が好ましくない向きや状態でその両端の下側に位置する義歯取り付け部に無理矢理取り付けられるのを回避することができる。その結果、無理に加わる過度の力やモーメントによる義歯取り付け部となるインプラント４１０への悪影響の防止、同じく義歯取り付け部となる残根部４２０やその周りの歯根膜４２１への悪影響の防止を実効あらしめる。
【０１８１】
なお、第２の実施形態においては、咬合に際して図６（ｄ）及び図７（ｄ−１）、図７（ｄ−２）に示す状態に至らず、義歯支持部３００の上端が、図１２に示すように、磁性体収容穴１４５の実施先端側端部に突き当たり、図６（ｃ）及び図７（ｃ−１）、図７（ｃ−２）に示す状態を保つ。
【０１８２】
そして、その後咬合する過程においては、中間欠損歯用義歯２０の両端に位置する義歯取り付け部、即ち顎骨にしっかりと埋め込まれたインプラント４１０や残根部４２０及び健全な歯根膜４２１によって咬合力Ｆを受け持ち、第１の実施形態のように中間欠損歯用義歯２０が歯肉９００に向かって沈下することなく、図１３に示す状態を保つ。これにより、上述したように咬合時に義歯装着者にしっかりとした噛み心地を与える。
【０１８３】
続いて、第１の実施形態において用いた図８及び図９の一部を流用して、第２の実施形態の第２変形例におけるシャフトラッチ係合部７００（磁性体係合部７００）とこれが係合する義歯支持部３００との係合の仕方を順番に説明する。
【０１８４】
図８（ａ）及び図９（ａ−１）、図９（ａ−２）に示すシャフトラッチ係合部７００は、義歯支持部３００の先端側湾曲テーパー部３２０の僅かに上方に位置している状態から、図８（ｂ）及び図９（ｂ−１）、図９（ｂ−２）に示す磁性体係合部７００を義歯支持部３００の先端側湾曲テーパー部３２０に係合させた後、シャフトラッチ係合部７００のスプリング７５０が圧縮変形してシャフト７２０の先端の球面状端部７１０が大径部３３０に係合した状態に至る。
【０１８５】
なお、この過程で第１の実施形態と同様に、義歯装着者は、中間欠損歯用義歯２０の両端に備わるシャフトラッチ係合部７００の球面状端部７１０が義歯支持部３００に同時に係合したことを、顎骨を伝わる感覚で知覚することができ、これにより義歯が正規の正しい姿勢でその両端の下側に位置する義歯取り付け部に取り付け始められていることを、義歯装着の初期段階で確認できる。
【０１８６】
続いて、図８（ｃ）及び図９（ｃ−１）、図９（ｃ−２）に示すシャフトラッチ係合部７００の球面状端部７１０が義歯支持部３００の基端側湾曲テーパー部３４０に達することで、スプリング７５０の弾性によりシャフト７２０の部分が引っ込んでいたシャフトラッチ係合部７００が元の形に戻る。
【０１８７】
このシャフトラッチ係合部７００の変形の戻りを義歯装着者は顎骨を介して再び自分の感覚で知覚することができ、中間欠損歯用義歯２０の両端における磁性体収容部２４０の磁性体収容穴２４５に義歯取り付け部の義歯支持部３００が同時に正しい位置に収容されたことを確認できる。
【０１８８】
これにより、中間欠損歯用義歯２０が好ましくない向きや状態でその両端の下側に位置する義歯取り付け部に無理矢理取り付けられるのを回避することができる。その結果、無理に加わる過度の力やモーメントによる義歯取り付け部やインプラント４１０への悪影響の防止、残根部４２０やその周りの歯根膜４２１への悪影響の防止を実効あらしめる。
【０１８９】
なお、この第２変形例においても、咬合の際には、図８（ｄ）及び図９（ｄ−１）、図９（ｄ−２）に示す状態に至らず、義歯支持部３００の上端が、図１２に示すように、磁性体収容穴１４５の実施先端側端部に突き当たり、図８（ｃ）及び図９（ｃ−１）、図９（ｃ−２）に示す状態を保つ。
【０１９０】
そして、その後咬合する過程においては、中間欠損歯用義歯２０の両端に位置する義歯取り付け部、即ち顎骨にしっかりと埋め込まれたインプラント４１０や残根部４２０及び健全な歯根膜４２１によって咬合力Ｆを受け持ち、第１の実施形態のように中間欠損歯用義歯２０が歯肉９００に向かって沈下することなく、図１３に示す状態を保つ。これにより、咬合時に義歯装着者にしっかりとした噛み心地を与える。
【０１９１】
続いて、第１の実施形態において用いた図１０及び図１１の一部を流用して、第２の実施形態の第３変形例における板バネラッチ係合部８００（磁性体係合部８００）とこれが係合する義歯支持部３００との係合の仕方を順番に説明する。
【０１９２】
図１０（ａ）及び図１１（ａ−１）、図１１（ａ−２）に示す板バネラッチ係合部８００は、義歯支持部３００の先端側湾曲テーパー部３２０の僅かに上方に位置している状態から、図１０（ｂ）及び図１１（ｂ−１）、図１１（ｂ−２）に示す磁性体係合部８００を義歯支持部３００の先端側湾曲テーパー部３２０に係合させた後、板バネラッチ係合部８００の板バネ８２０のバネ先端８２１が上向きに撓みながら大径部３３０に係合した状態に至る。
【０１９３】
なお、この過程で第１の実施形態と同様に、義歯装着者は、中間欠損歯用義歯２０の両端に備わる板バネラッチ係合部８００が義歯支持部３００に同時に係合したことを、顎骨を伝わる感覚で知覚することができ、これにより義歯が正規の正しい姿勢でその両端の下側に位置する義歯取り付け部に取り付け始められていることを、義歯装着の初期段階で確認できる。
【０１９４】
続いて、図１０（ｃ）及び図１１（ｃ−１）、図１１（ｃ−２）に示す板バネラッチ係合部８００が義歯支持部３００の基端側湾曲テーパー部３４０に達することで、弾性により板バネ８２０のバネ先端８２１が撓んでいた板バネラッチ係合部８００が元の形に戻る。
【０１９５】
この板バネラッチ係合部８００の変形の戻りを義歯装着者は顎骨を介して再び自分の感覚で知覚することができ、中間欠損歯用義歯２０の両端における磁性体収容部２４０の磁性体収容穴２４５に義歯取り付け部の義歯支持部３００が同時に正しい位置に収容されたことを確認できる。
【０１９６】
これにより、中間欠損歯用義歯２０が好ましくない向きや状態でその両端の下側に位置する義歯取り付け部に無理矢理取り付けられるのを回避することができる。その結果、無理に加わる過度の力やモーメントによる義歯取り付け部の基礎部をなすインプラント４１０への悪影響の防止、同じく義歯取り付け部の基礎部をなす残根部４２０やその周りの歯根膜４２１への悪影響の防止を実効あらしめる。
【０１９７】
なお、第２の実施形態においては、咬合に際して図１０（ｄ）及び図１１（ｄ−１）、図１１（ｄ−２）に示す状態に至らず、義歯支持部３００の上端が、図１２に示すように、磁性体収容穴１４５の先端側端部に突き当たり、図１０（ｃ）及び図１１（ｃ−１）、図１１（ｃ−２）に示す状態を保つ。
【０１９８】
そして、その後咬合する過程においては、中間欠損歯用義歯２０の両端に位置する義歯取り付け部、即ち顎骨にしっかりと埋め込まれたインプラント４１０や残根部４２０及び健全な歯根膜４２１によって咬合力Ｆを受け持ち、第１の実施形態のように中間欠損歯用義歯２０が歯肉９００に向かって沈下することなく、図１３に示す状態を保つ。これにより、咬合時に義歯装着者にしっかりとした噛み心地を与える。
【０１９９】
第２の実施形態及びその各変形例が上述したような構成を有することで、上述したようにインプラント４１０が顎骨にしっかりと埋め込まれかつ強く咬合する癖のない義歯装着者や残根部４２０の歯根膜４２１が健全な義歯装着者にとって、咬合するごとに中間欠損歯用義歯２０の快適な装着感及び咬み心地を味わうことができる。その結果、上述したように食べ物を咬む間中気持ち良く咬み続けることができ、ストレスを受けることなく食事を楽しむことが可能となる。
【０２００】
これにより、食べ物の良好な消化吸収を図ることにより、高齢者にとって特に重要な健康の維持や体調面での向上を図ることができる。また、義歯を装着していることを自覚させない噛み心地により、毎日の食事を楽しむことができ、クオリティオブライフを維持又は向上させることが可能となる。
【０２０１】
なお、上述の各実施形態及びその各変形例において、中間欠損歯用義歯を義歯取り付け部に装着した後、磁性体係合部が義歯支持部に係合して義歯が義歯取り付け部から簡単に抜けなくなる程度の効果を発揮するためには、例えば磁性体係合部の係合力を以下のように規定することが好ましい。
【０２０２】
具体的には、義歯装着者は義歯を装着して例えば餅やガム、グミ、キャラメルなどの歯に付着し易い食べ物を食べた時に義歯がこれらにくっついて思わず義歯自体が予期せず外れることのない係合力を最低限必要とすると共に、義歯を取り外す際に義歯装着者が手の指でつかんで引っ張ったときに無理なく外れる程度の大きさの係合力に抑えておくのが良い。
【０２０３】
また、上述の各実施形態及びその変形例において、中間欠損歯用義歯の両端部近傍に備わった磁性体係合部がそれぞれ義歯支持部に係合するタイミングや係合力の大きさについては、以下のような内容であることが好ましい。
【０２０４】
具体的には、中間欠損歯用義歯を義歯取り付け部に取り付ける初期段階において、中間欠損歯用義歯の両側に備わった各磁性体係合部が中間欠損歯用義歯を正しい位置や向き、姿勢で装着しようとする場合においてのみ、２つの各磁性体係合部がそれらの各々に対応する２つの義歯支持部に同時のタイミングで接触して係合すると共に、この状態が顎骨を介して義歯装着者が認識できるようにするのが良い。
【０２０５】
これによって、中間欠損歯用義歯の向きを斜めにした状態で無理矢理装着することによる例えばクサビ効果などに基づく両端の義歯取り付け部の破損を防止することができる。これは、義歯を初めて装着する人たちで義歯の装着の仕方に慣れない場合や指先の感覚が鈍って細かい指先の動きができない人たちにとって特に有効である。
【０２０６】
次いで、中間欠損歯用義歯を正しい位置に位置決めして装着し始めたときに、上述したように義歯支持部の大径部に磁性体係合部が係合し出すことにより大きな弾性力を生じ、これが抵抗となって義歯装着者の指で義歯を押し込む際にこの感覚を知覚できるようにすると共に、顎骨を介してこの状態を知覚できるようにすることで、中間欠損歯用義歯の両端の係合状態が同時のタイミングで進行していることを認識できるようにするのが好ましい。
【０２０７】
これにより、中間欠損歯用義歯を正しい角度や向きと姿勢で装着中であることが義歯装着者に分かり、安心感を与えることができる。
【０２０８】
次いで、中間欠損歯用義歯を義歯取り付け部に完全に取り付けた状態において、上述したように磁性体係合部が義歯取り付け部の大径部を通り抜けて基端側小径部に至るようになるが、この際、２つの各磁性体係合部がそれらの各々に対応する２つの義歯支持部に対して及ぼす係合力が同時のタイミングで弱まるか解除されるかを、顎骨を介して認識できるようにするのが良い。
【０２０９】
この感覚を中間欠損歯用義歯の両端で同時に認識できるように２つの各磁性体係合部がそれぞれに対応する２つの義歯支持部に作用する弾性力が同時に変化して、これを義歯装着者に認識させることができるようにするのが良い。
【０２１０】
これによって、中間欠損歯用義歯が正しい向き及姿勢でその両端の義歯取り付け部に取り付けられたことを義歯装着者は確認して、装着者に安心感を与えることができる。このように磁性体係合部が、義歯支持部との係合の仕方のタイミングを、顎骨を介して中間欠損歯用義歯のそれぞれの両端において認識することができるようにすることで、義歯装着者は自らの手できちんと義歯を装着できたことを確認できる。
【０２１１】
また、義歯を取り外す際もこれと逆の動作になるため、きちんとした向きで中間欠損歯用義歯の両端やそれを挟む義歯取り付け部に無理な力を加えることなく、正しく取り外すことを確認することが可能となる。
【０２１２】
特に手先の感覚が鈍くなった高齢者にとって、このように磁性体係合部が義歯支持部に係合するタイミングを、顎骨を介して認識できるようにすることで、義歯を長期に亘って破損させることなく、かつ義歯の両端の義歯取り付け部についても悪影響を与えることなく、中間欠損歯用義歯を長期に亘って使用し続けることができる。
【０２１３】
特に介護が必要になった高齢者にとって、通常の衣服の着替えは介護者に手伝ってもらうことができるが、義歯の取り付けと取り外しは口の中で非常に正確な位置決めと向きで行わなければ、上述のように義歯と義歯取り付け部の一方又は双方が破損してしまうので、介護するものがそれを手伝うことは非常に難しく介護する上で好ましくないと言える。
【０２１４】
そのため、本発明のように義歯装着者が自ら義歯を日常生活において装着する必要がある現実上において、本発明のような構造を有することで、義歯を長期に亘って使い続けることができるという特有のメリットを本発明は有している。
【０２１５】
最後に、本発明の範囲に含まれる上述した各実施形態の変形例であって更なる追加の変形例について説明する。上述の第１及び第２の実施形態並びにその各種変形例においては、義歯支持部が基本的に円筒体形状を有し、先端側湾曲テーパー部と、大径部と基端側湾曲テーパー部と、支柱部から構成されていたが、このような円筒体形状に限定される必要はなく、先端面側から見て円形の一部が切り取られてその一部が長手方向（軸線方向）に向かって平面状に延在し、これが磁性体収容穴に設けたスライドガイド平面部に対して摺動するようにしても良い。この場合、磁性体係合部が磁性体収容穴の内周面に干渉しないようにすれば、本発明の作用を十分に発揮することが可能となる。
【０２１６】
また、上述のように義歯支持部は基本的に円筒体形状を有する代わりに、端面視で半円形状や表面全体が例えば湾曲したようなおむすび型形状、角部や外周面に丸みを帯びた四角形や多角形形状を基本的構成としても良い。この場合、これに対応するスライドガイド平面部を有すると共に磁性体係合部に干渉しない磁性体収容穴を備えた形態であれば、本発明の範囲内に当然に属するようになる。
【０２１７】
また、例えば磁性体係合部の弾性体の少なくとも一部が、形状記憶合金でできており、かつ中間欠損歯用を装着後に口腔内の温度によって弾性力が弱まり剛性が高くなる形状に変形するような変形形態も考えられる。具体的には、義歯装着の際は、磁性体係合部の弾性力が適度な大きさの弾性力となり、義歯の装着の後に磁性体係合部の弾性力が強まって義歯が外れにくくなり、義歯を取り外す際は指先で少し強めに引っ張って外すか、口の中に水を含んで磁性体係合部の温度を下げることにより再び弾性力を適度な大きさに戻して義歯を外れやすくする形態が考えられる。
【０２１８】
この場合、例えば第１の実施形態及び第２の実施形態及における磁性体係合部に関しては、刺股状の部分を、形状記憶合金を用いて構成する形態が考えられる。また、各実施形態の第２変形例及び第３変形例においては、形状記憶合金でできたスプリングを用いてこの弾性力を上述した作用を発揮するように変化できるような形態が考えられる。また、各実施形態における第４変形例においては、板バネ自体に形状記憶合金を用いて、上述した作用を発揮することができるようにその弾性力が変化するようにその形状を変える形態が考えられる。
【０２１９】
以上説明した本発明の各実施形態及びその各変形例に係る中間欠損歯用義歯（以下、適宜「義歯」とする）の優位点を最後に再確認する。この本発明に係る中間欠損歯用義歯によると、義歯を義歯支持部に装着する際に義歯の両端部分に備わったラッチ係合部がそれぞれ義歯支持部に同時のタイミングで係合した時にのみ、義歯の正しい装着にあたっての位置決めがなされていることが確認できる。
【０２２０】
これによって、例えば中間欠損歯用義歯が傾いた状態で位置決めされた後に無理矢理押し込まれたり思いっきり咬合したりした場合に起こる深刻な事態、具体的には通常では生じ得ない姿勢や向きによる義歯の義歯取り付け部の嵌まり具合に応じて義歯支持部に対してその先端に通常では生じ得ない横方向の分力を作用させることで、義歯取り付け部のインプラントの埋め込み部や残根部の歯根膜に義歯が正規の取り付け状態では生じ得ない過大なモーメントを発生させずに済む。これによって、インプラントの埋め込み部の破損や残根部の歯根膜の剥離等に基づく残根部の破壊を回避することができる。
【０２２１】
また、中間欠損歯用義歯を正規の状態で位置決めした後に指で押し込んだりゆっくり咬合したりすることによって、中間欠損歯用義歯が正規の状態でその両端側のそれぞれの義歯支持部に完全に嵌まり込んだことを、これらの義歯支持部にそれぞれ係合しているラッチ係合部の係合力が同時に弱まったり解除されたりすることで確認することができる。
【０２２２】
これによって、例えば中途半端な状態で義歯が義歯支持部に嵌まり込むことがなくなり、中間欠損歯用義歯とこれを挟む両側の歯との間に段差が生じた状態で歯を３次元的に複雑な動きで咬合した場合に生じる深刻な事態を回避することができる。
【０２２３】
具体的には、反対側の歯が中間欠損歯用義歯に対して無理な横方向の力が加わることにより、義歯取り付け部のインプラントの埋め込み部や残根部の歯根膜に義歯が正規の取り付け状態では生じ得ない過大なモーメントを発生させずに済む。これによって、インプラントの埋め込み部の破損や残根部の歯根膜の剥離等による残根部の破壊が生じるのを、本発明に係る中間欠損歯用義歯を用いることで回避することができる。
【０２２４】
同様にこの義歯を挟む両側の健全な歯の先端に通常の咬合の際には生じ得ない横方向の力が加わることで、これに基づいて健全な歯の歯根膜の部分に過大なモーメントを発生させてしまい健全な歯根膜を剥離させてしまうような重大な問題の発生を、本発明に係る中間欠損歯用義歯を用いることで回避することができる。
【０２２５】
以上説明した各変形例のような構造であっても、中間欠損歯用義歯を取り付けるための本発明に係る義歯とその取付けアタッチメントの作用を十分に発揮することができる。
【０２２６】
なお、上述の実施形態及びその各変形例は、あくまで本発明を例示的に示したものに過ぎず、その形状、寸法、材質に関しては本発明の範囲を逸脱しない限りにおいて適宜変更可能であることが言うまでもない。
【符号の説明】
【０２２７】
１０，２０    中間欠損歯用義歯
９０    スペーサー
９１    上面
９２    下面
１００    支持部材収容保持部
１１０（１１１，１１２，・・・）    義歯本体
１２０    義歯床
３００    義歯支持部
３３０    大径部
１４０    磁性体収容部
１４１    開口部
１４５    磁性体収容穴
１４６    穴底端面部（人工歯側端部）
１４７    支持部移動用摺動面
１４８    係合部収容穴
１５０    磁石
１６０    磁石ホルダー
２４０    磁性体収容部
２４５    磁性体収容穴
２４６    穴底端面部
３００    義歯支持部
３１０    先端平面部
３２０    先端側湾曲テーパー部
３３０    大径部
３４０    基端側湾曲テーパー部
３５０    支柱部
３６０    埋め込み部
４１０    インプラント
４２０    残根部
４２１    歯根膜
５００    刺股フック（磁性体係合部）
５１０    基端部
５２０    刺股部
６００    ベアリングラッチ係合部（磁性体係合部）
６１０    ベアリング
６２０    シャフト
６５０    スプリング
７００    シャフトラッチ係合部（磁性体係合部）
７１０    球面状端部
７２０    シャフト
７５０    スプリング
８００    板バネラッチ係合部（磁性体係合部）
８２０    板バネ
８２１    バネ先端
９００    歯肉
Ｆ    咬合力
Ｓ１    第１の（一定）空間
Ｓ２    第２の（一定）空間
Ｄ    唾液
【要約】
【課題】最低限度のインプラントの構造か、インプラントを用いずに残根部を有効活用して欠損歯に簡単かつ確実に取り付け可能な廉価な義歯とその取付けアタッチメントを提供する。
【解決手段】義歯が中間欠損歯用義歯１０であって、取付けアタッチメントは、インプラント又は残根部に装着される磁性部材からなる義歯支持部３００と、義歯の両端部に設けられ義歯支持部を収容した状態で保持する支持部材収容保持部１００を有し、支持部材収容保持部は、磁性体収容部１４０と、これに隣接して中間欠損歯用義歯内に埋め込まれ磁性体収容部に収容された義歯支持部に磁気吸引力を及ぼすことで義歯の装着状態を保つ磁石１５０と、磁性体収容部に収容された義歯支持部に弾性力を利用して係合することで義歯支持部を磁性体収容部内に留める磁性体係合部５００を有する。
【選択図】図１【図１】
0006609394.tif 000002
【図２】
0006609394.tif 000003
【図３】
0006609394.tif 000004
【図４】
0006609394.tif 000005
【図５】
0006609394.tif 000006
【図６】
0006609394.tif 000007
【図７】
0006609394.tif 000008
【図８】
0006609394.tif 000009
【図９】
0006609394.tif 000010
【図１０】
0006609394.tif 000011
【図１１】
0006609394.tif 000012
【図１２】
0006609394.tif 000013
【図１３】
0006609394.tif 000014